(57)【特許請求の範囲】
【請求項１】
第１の表示手段と、
上記第１の表示手段よりも低消費電力の第２の表示手段と、
上記第１及び第２の表示手段での表示のオン・オフを制御する表示制御手段と、
計時手段とを有し、
所定の第１の時間の経過を上記計時手段が計時した第１の条件のとき、上記表示制御手段が上記第１の表示手段をオンとして、この第１の表示手段による表示を行い、
上記第１の時間の経過後、所定の第２の時間の経過を上記計時手段が計時した第２の条件のとき、上記表示制御手段が上記第１の表示手段をオフとすると共に上記第２の表示手段をオンとして、この第２の表示手段による表示を行う表示装置。
【発明の詳細な説明】
【０００１】
【発明の属する技術分野】
本発明は、表示部を備えた装置に関し、特に地図などを表示させるナビゲーション装置や、テレビジョン放送などを受信して表示させる放送受信機に適用して好適なものに関する。
【０００２】
【従来の技術】
従来、携帯用として比較的小型に構成されて、バッテリ駆動により表示を行うポータブル機器が各種開発されている。例えば、ポータブル型のナビゲーション装置が開発されている。このナビゲーション装置は、ＧＰＳ（Global Positioning System ：以下単にＧＰＳと称する）などの測位システムを使用して現在位置を測位して、その測位した位置の近傍の地図などの情報を、この装置が備える表示部に表示させるようにしたものである。この場合の表示部としては、例えばバックライトを備えたカラー表示可能な液晶表示パネルが使用される。
【０００３】
また、テレビジョン放送を受信して表示する受信機の場合にも、小型の液晶表示パネルなどを使用したポータブル型の装置が各種開発されている。
【０００４】
【発明が解決しようとする課題】
ところで、これらの装置は携帯して使用できるようにするために、装着されたバッテリを電源とするようにしてあるが、装置が備える表示部は比較的消費電力が大きく、連続使用できる時間が比較的短いと言う課題があった。即ち、例えば携帯用の装置で比較的精度の高いカラー画像を表示させる場合には、バックライトを備えた透過型の液晶表示パネルを表示手段として使用するのが一般的であるが、このような表示手段は消費電力が大きく、連続使用できる時間が長くても数時間程度に制限されている。
【０００５】
このため、例えば携帯型のナビゲーション装置の場合には、ある程度の時間操作がないと、自動的に装置の電源をオフ状態として、電力の無駄な消費を抑えるようにしてあるが、このオフ状態となった場合には、全く装置が作動しないので案内情報が全く得られなくなってしまう。従って、自動的にオフとなってから、再度何らかの案内情報を表示させる必要がある場合には、ナビゲーション装置の電源を再度投入させる操作を行う必要があるが、一般のナビゲーション装置は、電源を投入してから現在位置の測位処理や、その測位された位置の近傍の地図を表示させる処理に若干の時間がかかるので、電源を投入させてから必要な情報が得られるまで時間がかかる問題があった。この電源投入時の立ち上げに時間がかかる問題は、携帯型のナビゲーション装置に限ったものではなく、車載用の一般のナビゲーション装置の場合でも同様である。
【０００６】
また、テレビジョン放送を受信して表示する受信機の場合にも、特に携帯用としてバッテリ駆動される構成の場合には、バッテリの持続時間を長くするために、その消費電力を抑えることが重要であるが、従来の受信機の場合には、消費電力を低減させるための有効な対処をしてなかった。
【０００７】
本発明はこれらの点に鑑み、各種情報を表示する装置の消費電力を効果的に低減させることを目的とする。
【０００８】
【課題を解決するための手段】
かかる問題点を解決するために本発明は、第１の表示手段と、この第１の表示手段よりも低消費電力の第２の表示手段と、第１及び第２の表示手段での表示のオン・オフを制御する表示制御手段と、計時手段とを有し、所定の第１の時間の経過を上記計時手段が計時した第１の条件のとき、表示制御手段が第１の表示手段をオンとして、この第１の表示手段による表示を行い、第１の時間の経過後、所定の第２の時間の経過を上記計時手段が計時した第２の条件のとき、表示制御手段が第１の表示手段をオフとすると共に第２の表示手段をオンとして、この第２の表示手段による表示を行うようにしたものである。
【０００９】
このように構成することで、例えばメインの情報を表示させる必要がある場合には、第１の表示手段を使用した表示を行い、何らかの補助的な情報だけを表示させる必要がある場合には、第２の表示手段を使用した表示を行うことが可能になる。
【００１０】
【発明の実施の形態】
以下、本発明の第１の実施例を、図１〜図８を参照して説明する。
【００１１】
本例においては、携帯用として小型に構成されたバッテリ駆動型のナビゲーション装置として構成したもので、図１にその全体構成を示す。以下、図１を参照してその構成を説明すると、ナビゲーション装置１０には、ＧＰＳ用アンテナ１１が接続してあり、このアンテナ１１で受信した信号を、ＧＰＳ信号受信部１２に供給する。ＧＰＳ信号受信部１２では、ＧＰＳ（Global Positioning System ）と称される測位システム用の受信処理を行う。即ち、複数の測位用人工衛星から送信されるＧＰＳ用の測位信号を受信して、その信号に含まれるデータを解析して、現在位置（緯度，経度，高度）のデータを得る。このＧＰＳ信号受信部１２で得た現在位置のデータを、システムコントローラ１３に供給する。
【００１２】
システムコントローラ１３は、測位された現在位置の近傍の道路地図を表示させる制御を行うコントローラで、ＧＰＳ信号受信部１２から現在位置の測位データが得られたとき、ＣＤ  ＲＯＭ制御部１４に該当する位置の近傍の道路地図を読出させる指令を送る。ＣＤ  ＲＯＭ制御部１４は、ＣＤ  ＲＯＭドライバ１５に装着されたＣＤ  ＲＯＭ（ここでは道路地図データが記録された地図ディスクとしてある）１６からの地図データの読出しを制御するもので、読出された地図データを、システムコントローラ１３に接続されたメモリ１７に記憶させる。
【００１３】
地図ディスク１６に記憶された道路地図のデータとしては、例えば各道路の始点と終点の座標位置のデータと、その始点と終点を接続するベクトルデータとで構成される。また、道路地図を表示させる際に必要な付属データについても、地図ディスク１６に記憶させてある。
【００１４】
地図ディスク１６から読出された地図データがメモリ１７に転送されると、システムコントローラ１３は、その地図データ中の所定範囲の道路地図を描画させて地図表示信号とする処理を行う。そして、描画されて所定の地図表示信号となった道路地図データを、表示制御部３０に供給して、表示用の所定の方式の映像信号（例えばＲＧＢ信号）として、その映像信号を、メインディスプレイ３１に供給し、そのメインディスプレイ３１に道路地図を表示させる。ここではメインディスプレイ３１として、カラー画像の表示ができる透過型の液晶表示パネルを使用し、表示パネルの背面にバックライト（図示せず）を備える。メインディスプレイ３１の画面のサイズとしては、画面の対角線の長さが数インチ（例えば６インチ程度）のもの使用する。
【００１５】
また本例のナビゲーション装置１０は、ＦＭアンテナ２１が接続されたＦＭ放送受信部２２を備え、このＦＭ放送受信部２２では、所定の送信周波数のＦＭ放送に多重して伝送されている情報（例えば道路交通情報通信システム用の道路交通情報）を受信して復調する。復調された道路交通情報などの情報は、システムコントローラ１３に供給する。システムコントローラ１３では、この受信した情報の内、キー操作などで予め指定された種別の情報を表示させる処理を行って表示信号を生成させ、その生成された表示信号を表示制御部３０に供給する。制御制御部３０には、既に説明した画像表示用のメインディスプレイ３１の他に、文字，数字などを表示するサブディスプレイ３２が接続してあり、このサブディスプレイ３２で、受信した情報を文字，数字などで表示させる。このサブディスプレイ３２としては、例えば反射型でバックライトを使用しない比較的小型の液晶パネル（例えば１行１０文字程度の表示を数行で行う表示パネル）を使用する。
【００１６】
なお、サブディスプレイ３２では、ＦＭ放送受信部２２で受信した情報の他に、メインディスプレイ３１で表示される地図を補足する情報（例えばＧＰＳ信号受信部１２での受信状態の情報）などについても表示できるようにしてある。また逆に、ＦＭ放送受信部２２で受信した情報を、メインディスプレイ３１で表示させる地図中に表示させることもできる。この場合の表示としては、文字などで交通情報などを直接表示させる他に、地図中に渋滞区間などが判るように表示する場合もある。これらのメインディスプレイ３１，サブディスプレイ３２での表示処理は、システムコントローラ１３からの指令に基づいて、表示制御部３０が実行する。
【００１７】
そして、各ディスプレイ３１，３２での表示は、このナビゲーション装置１０に用意されたキー２０の操作をシステムコントローラ１３が判断して行うようにしてある。即ち、例えばキー２０の所定の操作で、現在位置の地図を表示させる操作が行われたとき、システムコントローラ１３の制御により、現在位置の近傍の道路地図を、所定の縮尺でメインディスプレイ３１に表示させるようにしてある。またキー２０の所定の操作で、道路交通情報を表示させる操作が行われたとき、システムコントローラ１３の制御により、受信した道路交通情報をサブディスプレイ３２に表示させるようにしてある。その他の表示処理についても、キー２０の操作に基づいて、システムコントローラ１３の制御で実行するようにしてある。ここで本例においては、これらの表示が開始された後のキー操作状態に基づいて、システムコントローラ１３が各ディスプレイ３１，３２での表示を個別に停止させる制御を行うようにしてある。その制御処理の詳細については後述する。
【００１８】
また本例のナビゲーション装置１０は、各種センサ１８が内蔵（又は外付け）され、そのセンサ１８の検出データをアナログ／デジタル変換器１９でデジタルデータに変換した後システムコントローラ１９に供給するようにしてある。このセンサ１８としては、例えば振動センサなどによる動き検出センサや、自律航法による測位を行うための方位センサや距離センサ、或いは周囲の温度，湿度，気圧などを検出するセンサが考えられる。
【００１９】
また本例のナビゲーション装置１０は、２次電池などのバッテリ２３が内蔵され、このバッテリ２３が電源回路２４に接続してあり、この電源回路２４でバッテリ２３の出力の変圧，安定化などを行って、ナビゲーション装置１０内の各回路に電源を供給するようにしてある。また、図示はしないが商用交流電源や自動車用バッテリからの電源を電源回路２４が扱うこともできるようにしてある。
【００２０】
ここで、本例のナビゲーション装置１０の形状の一例を図２に示すと、図２はナビゲーション装置１０を構成する筐体の前面部を示す図で、道路地図などを表示するメインディスプレイ３１が配置された下側に、数行程度の文字などを表示するサブディスプレイ３２が配置してある。また、キー２０を構成する各種操作キー（電源キー，ディスプレイ切換キー，カーソルキーなど）が、ディスプレイ３１，３２の脇などに配置してある。図２に示したナビゲーション装置１０は、メインディスプレイ３１に道路地図を表示させ、サブディスプレイ３２に受信した渋滞情報や、ＧＰＳの受信状況を表示させた例を示し、メインディスプレイ３１に道路地図を表示させる場合には、地図中の現在位置表示ｍの他に、縮尺に対応した距離表示３１ａ，時刻表示３１ｂ，方位表示３１ｃなどの付属情報を同時に表示するようにしてある。サブディスプレイ３２に表示させる情報としては、この他に現在位置の経緯度，進行中の方位，現在時刻などが考えられる。
【００２１】
次に、本例のナビゲーション装置にて各種表示を行う場合のシステムコントローラ１３の制御に基づいた処理を、図３のフローチャートに従って説明する。この図３のフローチャートに示す処理は、内蔵されたバッテリ２３から供給される電源を動作用電源として使用する場合の処理である。キー２０の内の電源キーの操作などで装置のシステム電源をオンにしたとき（ステップ１０１）、バックライトを備えた表示部であるメインディスプレイ３１での表示をオン状態として（ステップ１０２）、メインディスプレイ３１で道路地図などの表示を開始させる。図４に示す装置の状態は、このメインディスプレイ３１だけで表示される状態である。このメインディスプレイ３１での表示が開始されると、システムコントローラ１３内に用意されたタイマのカウント値を初期値にクリアする（ステップ１０３）。
【００２２】
そして、システムコントローラ１３はいずれかのキー２０の操作があるか否か判断する（ステップ１０４）。ここで、なんらかのキー操作があると判断したときには、その時点でタイマのカウント値を初期値にクリアすると共に（ステップ１０５）、このとき操作されたキーがディスプレイ切換キーの操作であるか否か判断する（ステップ１０６）。ディスプレイ切換キー以外のキー操作である場合には、ステップ１０４のキー入力判断に戻る。
【００２３】
ステップ１０４でキー入力無しと判断された場合には、一定の時間の経過毎にタイマのカウント値をカウントアップさせ（ステップ１０７）、タイマ値が予め決められたカウント値Ｔ1 になったか否か判断する（ステップ１０８）。ここで、カウント値Ｔ1 になっていないと判断した場合には、ステップ１０４のキー入力判断に戻る。カウント値Ｔ1 になったと判断した場合には、タイマのカウント値を初期値にクリアする（ステップ１０９）。
【００２４】
そして、ステップ１０６でディスプレイ切換キーの操作であると判断した場合と、ステップ１０９でタイマのカウント値を初期値にクリアした場合には、システムコントローラ１３の制御でメインディスプレイ３１をオフ状態とし（ステップ１１０）、メインディスプレイ３１での表示を停止させる。このときには、メインディスプレイ３１が備えるバックライトもオフ状態とする。そして、システムコントローラ１３の制御でサブディスプレイ３２をオン状態として（ステップ１１１）、このサブディスプレイ３２での文字情報などの表示を開始させる。図５に示す装置の状態は、このサブディスプレイ３２だけで表示させた状態である。
【００２５】
このサブディスプレイ３２での表示が開始されると、システムコントローラ１３はいずれかのキー２０の操作があるか否か判断する（ステップ１１２）。ここで、キー入力無しと判断された場合には、一定の時間の経過毎にタイマのカウント値をカウントアップさせ（ステップ１１３）、タイマ値が予め決められたカウント値Ｔ2 になったか否か判断する（ステップ１１４）。ここで、カウント値Ｔ2 になっていないと判断した場合には、ステップ１１２のキー入力判断に戻る。カウント値Ｔ2 になったと判断した場合には、タイマのカウント値を初期値にクリアし（ステップ１１５）、ナビゲーション装置１０のシステム電源をオフ状態にする（ステップ１１６）。
【００２６】
そして、ステップ１１２でなんらかのキー操作があると判断したときには、その時点でタイマのカウント値を初期値にクリアすると共に（ステップ１１７）、このとき操作されたキーがディスプレイ切換キーの操作であるか否か判断する（ステップ１１８）。ディスプレイ切換キー以外のキー操作である場合には、ステップ１１２のキー入力判断に戻る。
【００２７】
ステップ１１８でディスプレイ切換キーの操作であると判断した場合には、システムコントローラ１３の制御でサブディスプレイ３２をオフ状態とし（ステップ１１９）、サブディスプレイ３２での表示を停止させると共に、メインディスプレイ３１での表示をオン状態として（ステップ１２０）、メインディスプレイ３１で道路地図などの表示を再開させ、ステップ１０４のキー入力判断に戻る。
【００２８】
このようにバッテリ駆動時の表示処理を行うことで、メインディスプレイ３１を使用した表示と、サブディスプレイ３２を使用した表示とが選択的に行われ、そのときの状態に応じて適切な表示が行われる。即ち、ここではメインディスプレイ３１とサブディスプレイ３２のいずれか一方だけが表示に使用される構成としてあり、ディスプレイ切換キーの操作で、その表示に使用するディスプレイを選択することができる。そして、メインディスプレイ３１で表示を行っている状態で、キー操作が予め決めた所定時間Ｔ1 連続してない場合には、このメインディスプレイ３１がオフ状態となって、サブディスプレイ３２での表示に切換わり、さらにこのサブディスプレイ３２での表示時に、キー操作が予め決めた所定時間Ｔ2 連続してない場合には、このサブディスプレイ３２がオフ状態となって、ナビゲーション装置のシステム電源をオフ状態とするため、キー操作状態に基づいて自動的に消費電力の少ないモードに移行して、最終的には装置のシステム電源がオフ状態になり、バッテリの無駄な消費を防止することができる。
【００２９】
特に本例の場合には、メインディスプレイ３１はバックライトを備えるので消費電力が比較的大きく、メインディスプレイ３１で地図などを表示させた状態で、所定時間Ｔ1 連続して何も操作がないとき、自動的に反射型の液晶パネルを使用したサブディスプレイ３２での表示に切換えることで、装置の消費電力を大きく低減させることができる。ここで、サブディスプレイ３２での表示状態としては、受信した交通情報などの比較的限られた情報だけの表示であるが、道路地図などの詳細な情報が必要な場合には、ディスプレイ切換キーを操作することで、直ちにメインディスプレイ３１での表示に切換わるので、使用上不便はない。
【００３０】
そして、サブディスプレイ３２で表示された状態から、さらに所定時間Ｔ2 連続して何も操作がないときには、ナビゲーション装置のシステム電源もオフ状態となり、ＧＰＳ信号受信部１２での測位処理やＦＭ放送受信部２２での各種情報の受信処理なども停止するので、装置の消費電力をより低減させることができる。なお、何も操作がない状態でメインディスプレイ３１の表示からサブディスプレイ３２の表示に切換わる時間Ｔ1 や、サブディスプレイ３２での表示からシステム電源がオフになる時間Ｔ2 については、例えばそれぞれ数分程度の時間が考えられるが、ユーザーのモード設定操作などで自由に時間Ｔ1 ，Ｔ2 を設定できるようにしても良い。
【００３１】
なお、以上の処理はバッテリ駆動により行う場合に適用するようにしたが、例えば商用交流電源や自動車用バッテリから電源を直接得る場合には、基本的にはバッテリの持続時間などの問題がないので、時間Ｔ1 ，Ｔ2 での自動的な切換えや電源オフは実行せずに、ディスプレイ切換キーが操作されない限り、表示されるディスプレイの切換えを実行しないようにすることが考えられる。
【００３２】
また、以上の処理ではメインディスプレイ３１とサブディスプレイ３２のいずれか一方だけで表示させるようにしたが、例えば最初にシステム電源をオン状態としたときには（即ちステップ１０２の状態では）、両方のディスプレイ３１，３２で表示させるようにしても良い。このようにすることで、２つのディスプレイを有効に活用した多くの情報の効果的な表示ができる。図２に示す装置の状態が、両ディスプレイ３１，３２で同時に表示させた例である。
【００３３】
また、サブディスプレイ３２をナビゲーション装置１０の本体から分離させた構成としても良い。即ち、例えば図６に示すように、ナビゲーション装置本体１０ａ側には、メインディスプレイ３１やキー２０だけを配置して、この本体１０ａとケーブル４１で接続されたサブユニット４０にサブディスプレイ３２を配置するようにしても良い。この場合、ケーブル４１は取り外し可能なコネクタ４２により本体１０ａと接続するようにして、サブユニット４０を取り外せるようにしても良い。
【００３４】
また、サブディスプレイ３２をナビゲーション装置１０の本体から着脱自在な構成としても良い。即ち、例えば図７に示すように、ナビゲーション装置本体１０ｂ側には、サブユニット４０の形状に対応した切り欠き部２５を設け、この切り欠き部２５に、サブディスプレイ３２が取付けられたサブユニット４０を装着できるようにする。この場合、サブユニット４０はケーブル４１で本体１０ｂと接続する。
【００３５】
また、サブディスプレイを複数設ける構成としても良い。即ち、例えば図８に示すように、ナビゲーション装置本体１０ｃにサブディスプレイ３２の他に、第２サブディスプレイ３３を設け、それぞれのサブディスプレイ３２，３３で異なる情報を表示させるようにしても良い。図８の例では、サブディスプレイ３２に受信した渋滞情報や、ＧＰＳ用衛星の受信状態の情報を表示させ、第２サブディスプレイ３３に測位した方位やセンサ１８が検出した温度などの情報を表示させた例を示す。この２つのサブディスプレイ３２，３３での表示は、同時に行う場合と、いずれか一方での表示とをディスプレイ切換キーなどの操作で選択することが考えられる。
【００３６】
次に、本発明の第２の実施例を、図９及び図１０を参照して説明する。
【００３７】
本例においては、携帯用として小型に構成されたバッテリ駆動型のテレビジョン放送受信機として構成したもので、図９にその全体構成を示す。以下、図よを参照してその構成を説明すると、放送受信機５０は、アンテナ５１がテレビジョン放送受信部５２に接続され、システムコントローラ５７の制御で所定のチャンネルの受信を行い、所定のチャンネルの映像信号や音声信号を復調する。復調された映像信号は表示制御部５３に供給され、表示制御部５３の制御により、例えばバックライト付きのカラー映像表示ができる液晶表示パネルよりなるメインディスプレイ６１にその映像を表示させる。復調された音声信号は、音声回路５４に供給され、増幅などの音声処理が施された後スピーカ５５に供給されて放音される。
【００３８】
そして本例においては、テレビジョン放送受信部５２で受信したチャンネルの副搬送波で伝送される文字放送の情報を、文字放送受信部５６で復調するようにしてあり、この復調された情報を表示制御部５３に供給するようにしてある。文字放送受信部５６で復調する情報のチャンネル種別などについては、システムコントローラ５７により制御される。表示制御部５３に文字放送の情報が供給されると、この表示制御部５３の制御により、例えば反射型の液晶表示パネルよりなるサブディスプレイ６２にその情報による文字を表示させる。
【００３９】
この放送受信機５０のシステムコントローラ５７には、この受信機の各種操作を行うキー５８の操作情報が供給され、キー操作などに基づいて、受信チャンネルや各ディスプレイでの表示状態などの制御を行う。
【００４０】
ここで、本例の放送受信機５０の形状の一例を図１０に示すと、図１０は放送受信機５０を構成する筐体の前面部を示す図で、テレビジョン放送映像などを表示するメインディスプレイ６１が配置された下側に、数行程度の文字で文字放送の受信情報などを表示するサブディスプレイ６２が配置され、アンテナ５１，スピーカ５５，キー５８についても所定状態に配置してある。
【００４１】
このように構成した放送受信機としたことで、メインディスプレイ６１にテレビジョン放送映像などのメインの情報が表示され、サブディスプレイ６２に文字放送による情報などのサブの情報が表示され、それぞれの情報が良好に表示される。ここで、両ディスプレイ６１，６２での表示を、そのときの状態に応じて選択的に行うことで、装置の消費電力の低減処理などを良好に行うことができる。例えば、上述した第１の実施例で説明した図３のフローチャートによる表示処理を、本例でも適用することで、良好に制御できる。即ち、いずれかのキーが操作されてから何も操作がない状態が所定時間（例えば１時間）継続するまでは、両方のディスプレイ６１，６２で同時に表示を行い、その時間が経過した後はメインディスプレイ６１での表示を表示制御部５３の制御でオフ状態として、サブディスプレイ６２で文字放送の情報だけを表示させ、さらにキー操作が全くない状態が所定時間（例えば２時間）続くとき、サブディスプレイ６２での表示を表示制御部５３の制御でオフ状態として、放送受信機５０のシステム電源をオフ状態に制御する。このように制御することで、段階的な表示制御で効果的に消費電力の低減処置ができ、装置に内蔵されたバッテリの持続時間を長くすることができる。
【００４２】
なお、メインディスプレイ６１で映像を表示させている状態では、文字放送の受信情報の表示を、メインディスプレイ６１で表示させる映像にスーパーインポーズするなどして、メインディスプレイ６１に文字放送の情報を表示させて、サブディスプレイ６２での表示は、メインディスプレイ６１での表示がオフ状態にだけ行うようにしても良い。
【００４３】
また、サブディスプレイ６２などで表示させる文字情報として、テレビジョン放送の副搬送波を使用した文字放送の他の文字情報としても良い。例えば、テレビジョン放送受信部５２とは別に、ＦＭ放送受信部を設けて、このＦＭ放送受信部でＦＭ放送の副搬送波で伝送される各種文字情報を受信して、サブディスプレイ又はメインディスプレイに表示させるようにしても良い。或いは、外部から得られる他の各種情報を表示させるようにしても良い。
【００４４】
また、ここではテレビジョン放送などを受信する専用の装置として構成したが、上述した第１の実施例で説明した携帯型のナビゲーション装置にテレビジョン放送用受信部を内蔵させて、そのナビゲーション装置のメインディスプレイに、テレビジョン放送映像を表示させて、サブディスプレイに他の情報を表示させるようにしても良い。
【００４５】
また、上述した各実施例では、メインディスプレイとしてバックライトを備えた透過型のカラー液晶表示パネルを使用し、サブディスプレイとして反射型の液晶表示パネルを使用するようにしたが、両ディスプレイとして他の表示手段を使用するようにしても良い。但し、サブディスプレイはメインディスプレイよりも消費電力が少ないものを使用するのが好ましい。
【００４６】
【発明の効果】
本発明の表示装置によると、第１の条件のとき第１の表示手段をオンとして表示を行い、第２の条件のとき低消費電力の第２の表示手段だけをオンとして表示を行うことで、装置の状態により２つの表示手段が選択的に使用されることになり、消費電力を低減させて必要な情報を表示させることが可能になる。
【００４７】
この表示装置の場合に、第１の条件は所定の第１の時間の経過を計時したときであり、第２の条件は第１の時間の経過後、所定の第２の時間の経過を計時したときとしたことで、時間の経過に基づいて表示に要する電力を効果的に制限することができる。
【図面の簡単な説明】
【図１】本発明の第１の実施例によるナビゲーション装置の構成を示すブロック図である。
【図２】第１の実施例によるナビゲーション装置の形状の一例を示す平面図である。
【図３】第１の実施例による表示制御処理を示すフローチャートである。
【図４】第１の実施例による表示例を示す平面図である。
【図５】第１の実施例による表示例を示す平面図である。
【図６】第１の実施例の装置の変形例（サブディスプレイを分離させた例）を示す平面図である。
【図７】第１の実施例の装置の変形例（サブディスプレイを着脱自在にした例）を示す平面図である。
【図８】第１の実施例の装置の変形例（サブディスプレイを複数装備した例）を示す平面図である。
【図９】本発明の第２の実施例による放送受信機の構成を示すブロック図である。
【図１０】第２の実施例の放送受信機の形状の一例を示す平面図である。
【符号の説明】
１０  ナビゲーション装置、１３  システムコントローラ、２０  キー、３０表示制御部、３１  メインディスプレイ、３２，３３  サブディスプレイ、５０  放送受信機、５３  表示制御部、５７  システムコントローラ、５８  キー、６１  メインディスプレイ、６２  サブディスプレイ
【図１】
0003861354.tif 000002
【図２】
0003861354.tif 000003
【図３】
0003861354.tif 000004
【図４】
0003861354.tif 000005
【図５】
0003861354.tif 000006
【図６】
0003861354.tif 000007
【図７】
0003861354.tif 000008
【図８】
0003861354.tif 000009
【図９】
0003861354.tif 000010
【図１０】
0003861354.tif 000011